Podtech/llm-jp-corpus-v4-ja_patent huggingface dataset:
(57)【要約】      （修正有）【課題】交通安全等の啓発物品にあって、利用方法の説明を記載した冊子に反射剤を張付け、配るだけで性能効果を理解させることのできる利用方法説明付反射剤を提供する。【解決手段】適宜な頁数の冊子上に反射材３の使用方法と効果を印刷にて記載し、印刷した小冊子の表面に、反射材より大きい表面がシリコン素材のシール２を貼り、裏面に粘着層を設けた反射材を、小冊子上のシリコン素材のシール上に設ける。【選択図】図１
0003149671.tif 000002
【実用新案登録請求の範囲】
【請求項１】
反射材の使用方法と効果を記載した適宜な頁数の冊子上に、反射材より大きく表面がシリコン素材のシールを貼り、シリコン素材のシールの上に裏面に粘着層を設けた反射材を設けた事を特徴とする、利用方法説明付き反射材。
【考案の詳細な説明】
【技術分野】
【０００１】  本考案は、交通安全協会や警察、役所等で交通安全の普及を目的とした交通安全の集い等で配布する啓発物品に関する。
【背景技術】
【０００２】  従来、反射材の簡単な説明の記載された台紙に反射ステッカーをセットにして袋に入れていた。また、反射材を使用した物品のみであったり、反射材を普及させるために反射材の性能・効果を記載したチラシ等はあった。そして、台紙の表面全体にラミネート材を設け、その上に反射ステッカーをつけたものがある（例えば、実用新案文献１参照。）。
【先行技術文献】
【０００３】
【実用新案文献】
【０００４】
【実用新案文献１】
登録実用新案第３０９１７１２号
【考案の概要】
【０００５】
【考案が解決しようとする課題】
【０００６】  これには次のような欠点があった。
（イ）反射ステッカーと台紙を袋に入れた場合、最終的に台紙と袋がゴミになってしまった。また、袋に入れる作業と袋のコストがかかってしまった。それにより台紙の大きさや内容を十分な物にする事が不可能であった。
（ロ）反射材を使用した物品のみでは、その物品が反射するものだとわからなかった。また、反射材の性能や効果を理解することができず、物品が本来もっている性能を生かす使い方ができなかった。役所や警察では交通安全キャンペーン時に反射材の効果を説明したあと反射材用品を配ったりしているが、その為の時間や場所、人員などがかかっていた。
（ハ）反射材の性能・効果を記載したチラシは主に役所や交通安全協会が、交通安全のキャンペーン時に配っているが、反射材自体を配るか、もしくは手に入れる方法を示さなければ、チラシだけもらっても意味をなさなかった。これには反射材が高価である事や、反射材が一般の店にあまり置いてない事が原因であった。
（ニ）台紙の表面全体にラミネート加工し、その上に反射シールを付けたものは、ラミネート材の使用量が台紙の大きさに比例してしまい、大きな台紙に小さな反射材を付ける際でも台紙全体にラミネート加工する必要があったため、ラミネート材を無駄に使用しコストアップや資源の無駄使いになっていた。
本考案は、これらの欠点を除くためになされたものである。
【課題を解決するための手段】
【０００７】  反射材の使用方法と効果を記載した適宜な頁数の小冊子（１）上に、反射材より大きく表面がシリコン素材のシール（２）を貼り、シリコン素材のシールの上に裏面に粘着層（４）を設けた反射材（３）を設ける。
【考案の効果】
【０００８】  本考案の利用方法説明付き反射材は、反射材とパッケージと説明書が一体化しているので、反射材を取り外した後残るのは冊子だけであり、袋のゴミを出すことが無い。また小冊子では夜間反射材がどのぐらいの距離から視認でき、どのような見え方をするのかを写真で示すことができるので、誰かが説明をする必要もなく児童から高齢者まで反射材につてを理解させることができる。そして本考案は小冊子にて説明している反射材が、小冊子に実際に付いているので、写真のように光る素材がこれなんだと誰にでも理解でき、後日反射材をわざわざ購入しに行く必要が無く、小冊子を見たその場で小冊子から反射材を剥がしてカバン等に貼って使用することができるので、反射材の着用率が向上する。よって、全国の警察や役所、交通安全協会等で行なわれている交通安全キャンペーンや、学校で児童に交通ルールの説明会を行なう際、または街頭で住民に配るだけで、効果的に反射材を普及させることができ、交通事故削減に役立つ。
また、子供向けには反射材を使用した交通安全の内容を絵本にし、その絵本の中の絵として反射材を使用する事で、子供にも興味を持ってもらえ、実際に使ってもらえる。
そして、ラミネート材を反射材の大きさと同等もしくは一回り大きいサイズのシール形式にしたことで、ラミネート材の使用量が抑えられコスト削減と、資源の無駄使いを解消できる。
【図面の簡単な説明】
【０００９】
【図１】    本考案の斜視図である。
【図２】    本考案の斜視図Ａ−Ａ’断面図である。
【考案を実施するための形態】
【００１０】（イ）適宜な頁数の小冊子（１）上に反射材の使用方法と効果を印刷にて記載する。
（ロ）印刷した小冊子（１）の表面に、ステッカーを剥離させるために表面がシリコン素材のシール（２）を、付ける予定の反射材より一回り大きいサイズで適宜な数設ける。
（ハ）シリコン素材のシールより小さな、裏面に粘着層（４）を設けた反射材（３）を、小冊子の上に設けたシリコン素材のシール上に設ける。
【実施例】
【００１１】  以下、本考案の実施例について説明する。
シリコン素材のシールは、裏面が粘着素材になったロール状の表面がシリコン素材のシートを、使用する大きさにビク抜き加工もしくは裁断にて連続して製作し、冊子上の反射材を付ける予定の場所だけに貼る。また、反射材もシート状の反射シートからビク抜き加工や裁断、ウェルダー等で連続して製作し、冊子上に貼ったシリコン素材のシールの表面に貼り付ける。
【産業上の利用可能性】
【００１２】  本考案の利用方法説明付き反射材は、交通安全キャンペーン時に限らず様々な場面で配布し、受取った人は小冊子を読み、反射材の効果と使用方法を理解したうえ、小冊子から反射材を剥して、カバンや自転車、杖、ランドセル等の自分の持ち物に自由に貼る事ができる。
【符号の説明】
【００１３】      １  小冊子
２  シリコン素材のシール
３  反射材
４  粘着層
【図１】
0003149671.tif 000003
【図２】
0003149671.tif 000004
(57)【要約】      （修正有）【課題】スポンジ体に毛髪をはさみこむための切りこみ部をもっているヘアカーラーを提供する。【解決手段】スポンジ体部に毛髪を挟みこむための螺旋状の切りこみをもつヘアカーラーで、スポンジの切りこみ部が毛髪をスポンジ体の反発力ではさむことができ、ピンなしで毛髪をカーラーに固定することができる。【選択図】図５
0003149675.tif 000002
【実用新案登録請求の範囲】
【請求項１】
スポンジ体部に毛髪を挟みこむための螺旋状の切りこみをもつヘアカーラー。
【考案の詳細な説明】
【技術分野】
【０００１】本考案は頭髪を巻いてカールさせるためのヘアカーラーに関するものである。
【背景技術】
【０００２】従来のヘアカーラーは〔図１〕のようにプラスチック製のコア部とそれを覆うスポンジ体から構成されている。
【考案の開示】
【考案が解決しようとする課題】
【０００３】従来のヘアカーラー〔図１〕は毛髪をまきつけるときに、〔図２〕のようにスポンジ体の表面に髪をまきつけた後、〔図３〕のピンを使用して〔図４〕のように固定しなくてはならないのでピンが必要になる。
【課題を解決するための手段】
【０００４】〔図５〕が本考案で、スポンジ体に毛髪をはさみこむための切りこみ部をもっている。
【考案の効果】
【０００５】〔図６〕が本考案の左側面図で、〔図７〕が本考案の平面図であり、そのうちＡの部位を拡大したのが〔図８〕である。スポンジの切りこみ部が毛髪をスポンジ体の反発力ではさむことができ、ピンなしで毛髪をカーラーに固定することができる。〔図９〕では本考案のカーラーで毛髪を巻いたときの斜視図である。〔図１０〕は本考案のカーラーで巻いた毛髪の図である。〔図１１〕は本考案のカーラーで毛髪を巻いた左側面図である。〔図１２〕は本考案のカーラーで毛髪を巻いたときの平面図である。
【実施例】
【０００６】〔図９〕〔図１１〕〔図１２〕のように本考案はピンなしでスポンジ体に毛髪をまきつけることができる。
【産業上の利用可能性】
【０００７】〔図９〕〔図１１〕〔図１２〕のようにピンなしで毛髪を巻き付けることができるのでピンが必要なくなり、資源を節約できる。
【図面の簡単な説明】
【０００８】
【図１】従来のスポンジ体のヘアカーラーの図
【図２】従来のスポンジ体のヘアカーラーに毛髪を巻き付けた図
【図３】ピン
【図４】従来のスポンジ体のヘアカーラーに髪を巻きつけ、ピンで固定した図
【図５】本考案の切りこみをもつスポンジ体のヘアカーラー
【図６】本考案の左側面図
【図７】本考案の平面図
【図８】本考案の平面図〔図７〕のＡの部位を拡大したもの、および毛髪を挟んだ図
【図９】本考案のヘアカーラーで毛髪を巻いた斜視図
【図１０】本考案のヘアカーラーで巻かれた毛髪の図
【図１１】本考案のヘアカーラーで毛髪を巻いた左側面図
【図１２】本考案のヘアカーラーで毛髪を巻いた平面図
【図１】
0003149675.tif 000003
【図２】
0003149675.tif 000004
【図３】
0003149675.tif 000005
【図４】
0003149675.tif 000006
【図５】
0003149675.tif 000007
【図６】
0003149675.tif 000008
【図７】
0003149675.tif 000009
【図８】
0003149675.tif 000010
【図９】
0003149675.tif 000011
【図１０】
0003149675.tif 000012
【図１１】
0003149675.tif 000013
【図１２】
0003149675.tif 000014
(57)【要約】      （修正有）【課題】低費用でかつ、弁棒の動きに連動するコントロールバルブ開閉度表示装置を提供する。【解決手段】コントロールバルブの弁棒の動きに連動する表示板ａとコントロールバルブの外部に設置された開閉の文字および開閉度、例えば、０％、５０％、１００％等の表記された開閉度表示板ｂとからなるコントロールバルブ開閉度表示装置であり、コントロールバルブにおいて弁の開閉に伴って移動する弁棒に連動する部品であるステムコネクターｅに取りつけられた表示板ａが、バルブの外部に固設された開閉度表示板ｂの前面を移動し、バルブ開閉度が自動で表示される。【選択図】図１
0003149611.tif 000002
【実用新案登録請求の範囲】
【請求項１】
コントロールバルブの弁棒の動きに連動する表示板とバルブの外部に固設された開閉度表示板とからなるバルブ開閉度表示装置。
【考案の詳細な説明】
【技術分野】
【０００１】
本案は、コントロールバルブにおいて、その開閉度が自動で表示されるバルブ開閉度表示装置に関するものである。
【背景技術】
【０００２】
従来のバルブ開閉度表示装置としては、弁棒にギヤを固設するとともに、前記ギヤを介して伝導され減速回動されるバルブ開閉度表示板が提案されている（特許文献１）。
【０００３】
しかしながら上記表示板では、ハンドル付きの弁棒にしか設置できない構造となっていおり、弁棒にハンドルが付いていない構造のコントロールバルブの場合には使用できない。
【０００４】
【特許文献１】実開昭６０−１２７８２号公報
【考案の開示】
【考案が解決しようとする課題】
【０００５】
この考案が解決しようとする課題は、低費用でかつ、弁棒の動きに連動するコントロールバルブ開閉度表示装置を提供する点にある。
【課題を解決するための手段】
【０００６】
本案は上記課題を解決するものであって、コントロールバルブの弁棒の動きに連動する表示板ａとコントロールバルブの外部に設置された開閉の文字および開閉度、例えば、０％、５０％、１００％等の表記された表示板ｂとからなるバルブ開閉度表示装置である。
【考案の効果】
【０００７】
上記の手段を用いる事によって、低費用で、弁棒の動きに連動するコントロールバルブ開閉度表示装置を提供する。
【考案を実施するための最良の形態】
【０００８】
本考案に係るコントロールバルブ開閉度表示装置は次のようにして使用される。  表示板ａは、コントロールバルブの弁棒に連動する部品、例えば、ステムコネクターｅに取り付けられる。開閉の文字および開閉度（例えば、全閉の場合；０％、全開の場合１００％等開閉の割合に応じたもの）の表記された表示板ｂは、コントロールバルブの開閉度が、コントロールバルブの弁棒の動きに連動して移動する表示板ａによって正しく示されるようにコントロールバルブの弁棒に連動しない部分に固設される。
【図面の簡単な説明】
【０００９】
【図１】本考案のコントロールバルブ開閉度表示装置をコントロールバルブに設置した場合の具体的一実施例の正面図で開の状態（開度５０％）を示すものである。
【図２】本考案のコントロールバルブ開閉度表示装置における開閉度表示板の具体的一実施例の正面図である。
【図３】本考案のコントロールバルブ開閉度表示装置における表示板の具体的一実施例の正面図である。
【図４】本考案のコントロールバルブ開閉度表示装置における表示板の具体的一実施例の側面図である。
【実施例】
【００１０】
本考案に係るコントロールバルブ開閉度表示装置は、例えば、図１に示したコントロールバルブにおいて弁の開閉に伴って移動する弁棒に連動する部品であるステムコネクターｆｅに取りつけられた表示板ａが、バルブの外部に固設された開閉度表示板ｂの前面を移動し、バルブ開閉度が自動で表示される。
【符号の説明】
【００１１】
ａ：表示板
ｂ：開閉度表示板
ｃ：ダイヤフラムケース
ｄ：ヨーク
ｅ：ステムコネクター
ｆ：バルブ本体
【図１】
0003149611.tif 000003
【図２】
0003149611.tif 000004
【図３】
0003149611.tif 000005
【図４】
0003149611.tif 000006
(57)【要約】      （修正有）【課題】寝たきりの病人が身体内に挿入している排尿管等を着物の外に出し易くするための寝たきり病人用穴あき着物を提供する。【解決手段】着物の両脇に身八つ口とは別に穴を開け、その穴にはジッパー等は病人の皮膚を痛めることがある為取り付けずに穴を開けたまま排尿管等をくぐらせて使用する。ベットの位置により、右穴開きまたは左穴開きを選択して使用する。【選択図】図１
0003149643.tif 000002
【実用新案登録請求の範囲】
【請求項１】
寝たきりの病人が身体内に管などを挿入している場合、身につける着物に穴が無ければ、排尿管や採尿袋等を着物の外部に出す為には不自然に管等を曲げたり、着物をめくったり等の不都合が生じる。考案品は着物の身八つ口とは別に身八つ口の下方の両脇に穴を開け、ジッパー等はとりつけずにあけたままとし、排尿管や採尿袋等を外部に出しやすくした介護用穴あき着物である。
【考案の詳細な説明】
【技術分野】
【０００１】  本考案は、寝たきりの病人が身体内に挿入している排尿管等を着物の外に出し易くするために着物の両脇に穴を開けた介護用穴あき着物である。
【背景技術】
【０００２】  従来は穴あき着物は市販品には無かった。
【考案の開示】
【考案が解決しようとする課題】
【０００３】  従来は介護用着物には身八つ口の下方の両脇に穴のある着物は無く、排尿管等を外に出す為には着物のすそをめくり上げたり、管を不自然に曲げたりしなければならず課題があった。
【課題を解決するための手段】
【０００４】  そこで着物の両脇に排尿管や採尿袋等を通す為の穴を開けた。穴にはジッパー等を取り付けると金具等で病人の皮膚を傷める可能性があるので開けたままとし、問題を解決。
【考案の効果】
【０００５】  よって、本考案により排尿管や採尿袋等は着物の脇をくぐり抜け、無理に曲げることなく尿がスムーズに流れ採尿袋に注入可能となる。
【考案を実施するための最良の形態】
【０００６】  着物の両脇に穴を開けたのはベットの位置により、管等の出し入れが異なることに対応するものである。
【実施例】
【産業上の利用可能性】
【図面の簡単な説明】
【０００７】
【図１】  本考案に係る着物に穴を開け、排尿管と採尿袋の通し方を示した平面図である。
【符号の説明】
【０００８】  １．着物に開けた穴（右）
２．着物に開けた穴（左）
３．排尿管
４．採尿袋
５．着物身八つ口
６．着物
【図１】
0003149643.tif 000003
【手続補正書】
【提出日】平成21年1月7日(2009.1.7)
【手続補正１】
【補正対象書類名】実用新案登録請求の範囲
【補正対象項目名】全文
【補正方法】変更
【補正の内容】
【実用新案登録請求の範囲】
【請求項１】
本考案は、寝たきり病人が使用する排尿管や採尿袋を、着物の内側から外側へ出す為に、着物の両脇に身八ツ口とは別の穴をあけた、寝たきり病人用穴あき着物。
【手続補正２】
【補正対象書類名】明細書
【補正対象項目名】全文
【補正方法】変更
【補正の内容】
【考案の詳細な説明】
【技術分野】
【０００１】  本考案は、寝たきり病人用の穴あき着物に関する。
【背景技術】
【０００２】  寝たきり病人用パジャマは、いろいろと工夫されたものが市販されているが、着物の脇に穴のあいているものはない。
【考案の開示】
【考案が解決しようとする課題】
【０００３】  寝たきり病人が介護用パジャマを着用すると、オムツ交換やズボンの着脱にてこずったり、上着とズボンの重なる箇所に不快感をおぼえたり、ズボンのゴムにしめつけられ、皮膚を傷めたり、課題が多い。それ故、寝たきり病人に適した着物が求められる。
【考案を解決する為の手段】
【０００４】  そこで、着物の両脇に身八ツ口とは別の穴をあけ、排尿管や採尿袋を着物の内側より外側へ取り出す為の穴あき着物を考案。
【考案の効果】
【０００５】  よって、着物に穴をあけることにより、裾をまくり上げたり、おくみを折ったりせずに、排尿管等を着物の外側に取り出し、介護ベッドに取り付け可能となる。
【考案を実施するための最良の形態】
【０００６】  本考案は、寝たきり病人用の穴あき着物で、図Ｉの如く、着物の身八ツ口とは別に、採尿袋等を通す穴があけてある形態。
【図面の簡単な説明】
【０００７】
【図Ｉ】  本考案に係る穴あき着物の使用例を示した平面図。
【符号の説明】
【０００８】  １．  着物にあけた穴（右）
２．  着物にあけた穴（左）
３．  排尿管
４．  採尿袋
５．  着物の身八ツ口
６．  寝たきり病人
【手続補正３】
【補正対象書類名】図面
【補正対象項目名】全図
【補正方法】変更
【補正の内容】
【図１】
0003149643.tif 000004
(57)【要約】      （修正有）【課題】電卓の数字の桁を間違わないように、早く読み取れるようにした電卓を提供する。【解決手段】数字の表示板に漢字の数の名、例えば億・千などの単位を表示出来るようにしたことを特徴とする電卓である。これにより、数字の単位の読み間違いがなくなり、早く桁数を読み取ることができる。【選択図】図２
0003149642.tif 000002
【実用新案登録請求の範囲】
【請求項１】
電卓（電子計算器）の数字に数の名、例えば億、千の桁の表示を漢字にする
例えば  兆・億・千・万・百・拾（十）などをつける。
勿論従来のアラビア数字の電卓（電子計算器）でも良い。
ただしゼロの場合や３ないし２桁の場合は漢字の単位の表示が無くてもいい。
例    １十２億３千９百５十２万０百３０を下記のようにしてもいい。
１２億３千９百５十２万１３０でもいいし、下記のようでもいい。
１２億３千９百５２万１３０
但し末尾のゼロは必要とする。
【考案の詳細な説明】
【技術分野】漢字の単位を表示出来るようにして読み取り易く，又単位読み取り間違いを無くすようにした。
【背景技術】
【０００２】従来の電卓に漢字の単位のついたものは無かった。
【考案の開示】
【考案が解決しようとする課題】
【０００３】数字の桁の読み間違いをなくす。
早く数字の桁を読み取る。
【課題を解決するための手段】
【０００４】数字の位毎に、漢字の単位、例えば億・千などを表示する
【考案の効果】
【０００５】数字の単位の読み違いがなくなる。
早く桁数を読み取れる。
【実施例１】
【０００６】図２の番号４
【図面の簡単な説明】
【０００７】
【図１】「従来の電卓の数字の表示である」
【図２】「この提案を実施した場合の数字の表示である」
【符号の説明】
【０００８】１従来の電卓
２従来の電卓の数字表示の例
３従来と違って漢字単位が表示できる電卓（押しボタン類は省略）
４考案された漢字単位の表示例
５電卓の数字表示部
【図１】
0003149642.tif 000003
【図２】
0003149642.tif 000004
【手続補正書】
【提出日】平成20年12月19日(2008.12.19)
【手続補正１】
【補正対象書類名】実用新案登録請求の範囲
【補正対象項目名】全文
【補正方法】変更
【補正の内容】
【実用新案登録請求の範囲】
【請求項１】
数字が表示される数字表示部を有する電卓であって、前記表示部に表示される数字の間に数の桁を意味する漢字文字の兆・億・万・千・十を表示される事を特徴とする電卓
(57)【要約】      （修正有）【課題】高さ調節を容易にさせた構造を設けて体重がかかる部分の支えを強化した枕を提供する。【解決手段】枕を折り合わせ両端付近に設けた固定部分をスライドさせて高さ調節を可能にし、後頭部部分をも調節できる。素材とネット素材を組み合わせ形成させた構造で通気性、弾力性、復元力を増強でき、又、肩、首、頭を乗せる位置を個々に独立させた構造を用いたことで、それぞれの部位の重さを分散させており、合わせ重ねた形状にしてクッション性もダブル効果を狙った自然傾斜で使用できる枕。楕円形の先端に肩を乗せる仕様なので肩の隙間の解消につながり窪みを入れた円形に首をフィットさせる構造とした。【選択図】図１０
0003149644.tif 000002
【実用新案登録請求の範囲】
【請求項１】
綿、スポンジ、羽毛その他の素材に、ネット素材を組み合わせてロール形状にしたもの蕎麦殻、チップその他の素材を部分的に入れて加工した形状。
【請求項２】
枕の両端付近に設けた固定部分に折り合わせ重ねる、固定部分をスライドさせて高さ調節を可能にした枕。
【考案の詳細な説明】
【考案の詳細な説明】
【考案が解決しようとする課題】
【０００１】  肩、首、頭を乗せる部分を独立させた構造を用いて、肩の隙間をなくし首、頭のくぼみにフィットする形状でその部位の重さを分散させる構造を用いて安眠効果を高めた枕の両端付近に設けた固定部分をスライドさせることで何段階もの高さ調節を可能にした、首、肩を乗せる部分にネット素材と素材を組み合わせ加工したことで弾力性、耐久性、通気性を追求した。
【考案を実施するための最良の形態】
【０００２】  綿、スポンジ、羽毛、その他の素材等にネット形状の素材を組み合わせて、図５に示している１、３楕円形、円形を加工するその形状楕円形には肩を乗せる、円形には首を乗せる、長方形には頭を乗せる、それぞれに独立させた形状を配置して生地に入れ縫製したものを図１０に示している８、９折り重ね合わせる、重ね合わせる両端部分に図６に示している６、７固定テープを設けてそのテープをスライドさせて高さ調節が何段階にもできる仕様とした、独立させた形状は乗せる部位にフィットする仕様にしている、この構造を用いて部位の重さを分散させてクッション性を高めた、従来にない弾力性回復力を計りそれ等の形状を更に重ね合わせたことで、ダブルクッション効果を発揮した、折り合わせ両端付近に設けた固定部分を前、後ろにスライドさせて高さ調節を可能にした枕。
【実施例】
【０００３】  ネット素材と素材を合わせて円形、楕円形とした、円形に於いては蕎麦殻、チップその他の素材を図５に示している３部分的に入れて巻くことで素材が一定に固定される仕組みを利用してクッション性を損なうことなく涼感を得られた。【０００４】  首を乗せる円形部分に図３に示している４窪みを数箇所加工して、首にフィットする仕様にした。【０００５】  楕円形、長方形、円形の形状を生地に入れ組み合わせ加工した枕を折り合わせ両端付近に設けた固定位置に重ね体型に合った箇所に固定させて使用する。【０００６】  その固定部分を通常は、図１０楕円形の中心部に円形を重ね合わせて使用する仕様としているが、体格のある方は先端にスライドさせて合わせると肩の厚みをカバーできる。【０００７】  楕円形の先端に肩を乗せる仕様なので肩の隙間の解消につながり窪みを入れた円形に首をフィットさせる構造とした。【０００８】  後頭部は、長方形部分を折り合わせた個所に乗せる構造としている、そのおり合わせた部分図１０に示している８の両端を内側に入れて内側に深く入れ込むと後頭部、部分が高くなり浅く入れると低くなるので頭の形にフィットする構造である。【０００９】  折り合わせ重ねる構造を用いて肩を乗せ肩の隙間をなくして肩、首、頭の部位を乗せる箇所を独立させて部位の重みの分散につなげクッション性を高めた、更に、折り合わせ重ねる仕様でダブルクッションの機能を高めた。
【考案の効果】
【００１０】  ネット形状の素材と素材を組み合わせた形状円形、楕円形にしたことで、クッション性が高まり回復力の増強と通気性を追求できた、円形部分に蕎麦殻その他の素材を部分的に入れても図５に示している３クッションの効果を損なうことなく涼感を得られる、ネットと円形を組み合わせた形状の業である、夏は涼しく使用できる肩、首、頭を乗せる部分を独立させて肩の隙間をなくし自然傾斜で眠れる仕様である、首筋は自然にまっすぐになり横向きでも同様自然な呼吸で眠れるのも特徴である。
【図面の簡単な説明】
【図１】  本考案に係る枕の配置正面図である。
【図２】  本考案に係る枕の配置背面図である。
【図３】  本考案に係る枕の右側面図ある。
【図４】  本考案に係る枕の左側面図である。
【図５】  本考案に係る枕の配置平面図である。
【図６】  本考案に係る枕の生地に入れた正面図である
【図７】  本考案に係る枕の生地に入れた背面図である。
【図８】  本考案に係る枕の生地に入れた左側面図である。
【図９】  本考案に係る枕の生地に入れた平面図である。
【図１０】  本考案に係る枕の折り合せ重ねた図である。
【符号の説明】
１・・・肩を乗せる部分ネット生地と素材で楕円形にした。
２・・・頭を乗せる部分素材を平らにした。
３・・・首を乗せる部分ネット生地と素材と部分的に蕎麦殼を入れて円形にした。
４・・・円形、首にフィットする窪みを入れた。
５・・・生地に入れて縫製した。
６・・・楕円形部分に固定テープ。
７・・・円形部分に固定テープ。
８・・・折り合わせ重ねた部分徴頭部を乗せる。
９・・・楕円形に円形を重ね合せ固定したこの部分をスライドさせて高さ調節をする
【図１】
0003149644.tif 000003
【図２】
0003149644.tif 000004
【図３】
0003149644.tif 000005
【図４】
0003149644.tif 000006
【図５】
0003149644.tif 000007
【図６】
0003149644.tif 000008
【図７】
0003149644.tif 000009
【図８】
0003149644.tif 000010
【図９】
0003149644.tif 000011
【図１０】
0003149644.tif 000012
【手続補正書】
【提出日】平成21年1月8日(2009.1.8)
【手続補正１】
【補正対象書類名】実用新案登録請求の範囲
【補正対象項目名】全文
【補正方法】変更
【補正の内容】
【実用新案登録請求の範囲】
【請求項１】
綿、スポンジ、羽毛その他の素材を、ネット素材の中に入れて巻き合わせてロール形状にした枕であって、蕎麦殻、チップその他の素材を少なくとも上面部分に入れて加工したことを特徴とする枕。
【請求項２】
枕の両端付近に、枕の長手方向と水平に設けたテープからなる固定部分に折り合わせ重ねる、固定部分をスライドさせて高さ調節を可能にしたことを特徴とする、請求項１記載の枕。
(57)【要約】      （修正有）【課題】脳の活性化につながるといわれている、手のひら握り運動と指先運動に使用するための健康器具を提供する。【解決手段】手のひらで握り運動と指先運動をする器具であって、中間ジョイントの役をするスプリングの両側に２つの球を取り付けたことを特徴とする健康器具で、磁石または遠赤外線放射セラミックスボールのどちらかを前記の球に埋め込むこともできる。これにより、手軽にどこでも運動ができるようになる。【選択図】図５
0003149645.tif 000002
【実用新案登録請求の範囲】
【請求項１】
手のひら握り運動と指先運動（くるみ運動）に使用することにより、脳の活性化を推進する健康器具である
【請求項２】
本体に埋め込んだ磁石または、遠赤外線放射セラミックスボールのどちらかを用いた、従来、使用された健康器具と同じく、血行を促進する健康器具である
握った時の滑り止めを兼ねている
【請求項３】
中間ジョイントの役をするスプリングの両側に付けた球を手のひらで握り運動と指先運動する器具である
【考案の詳細な説明】
【技術分野】
【０００１】  本考案は、在来より脳の活性化につながると云われている、手のひら握り運動と指先運動に使用する、玉転がしの健康器具である。
【背景技術】
【０００２】  本考案の製品は、木製品で、２個の丸い球状の連結で、構成されている。【０００３】  本考案の球体は、磁石の場合、在来の健康器具で使用する１個＝８００ガウスの磁石を、球体１個につき、９個埋め込んであり、両球で磁石１８個となる。
これを合計すると１４，４００ガウスの値となる。
遠赤外線放射セラミックスボールの場合も球体１個につき、９個埋め込んであり、両球で遠赤外線放射セラミックスボール１８個となる。
【考案の開示】
【考案が解決しようとする課題】
【０００４】  従来、殆どの玉転がし運動用健康器具は、ばらばらの球を２個以上持って、運動する為に一部無くすと使用効果が無くなる上に、手のひら運動するのが難しい。本考案の手のひら握り運動の玉転がしは、２個の球を一体化し、その接続には、自在運動が出来るように、彎曲するスプリングで構成することにより問題点を解決しようとするものである。
【課題を解決するための手段】
【０００５】  彎曲するスプリングの先にジョイントされた２個の球を手のひら握り運動と指先運動することにより、手軽にどこでも運動ができるようにし、問題点を解決している。
【考案の効果】
【０００６】  現在の高齢者社会に於いて、脳の活性化は、重大視されている。手のひら運動と指先運動することにより、脳の活性化に伴う、ボケ防止・ノイローゼ等に予防も兼ねている。
【考案を実施するための最良の形態】
【０００７】  添付図面に従って、２個の球体と接続する球体を自在スプリングでジョイントされている器具で手のひら握り運動と指先運動をする。
この運動が脳の活性化を推進させる。
【実施例】
【０００８】  以下、添付図面に従って実地例を説明する。
球体と球体は木製品で、握ると木の感触良く、手のひら握り運動と指先運動に必要な器具を備えている。＜１ａ＞球体と＜１ｂ＞球体を＜２＞自在スプリングで接続している。＜１ａ＞球体と＜１ｂ＞球体を手のひらで運動させる手のひら握り運動と指先運動の器具である。【０００９】  図５は本考案製品を使用し、手のひら握り運動と指先運動をするイラスト図である。
【図面の簡単な説明】
【００１０】
【図１】本考案の手のひら握り運動と指先運動（くるみ運動）の健康器具の実地例を示す全体正面図である。
【図１ａ】本考案の手のひら握り運動と指先運動（くるみ運動）の健康器具の球体部正面見下平面図である。
【図１ｂ】本考案の手のひら握り運動と指先運動（くるみ運動）の健康器具の球体部の下部分正面見上図である。
【図２】本考案の手のひら握り運動と指先運動（くるみ運動）の全体裏面図である。
【図２ａ】本考案の手のひら握り運動と指先運動（くるみ運動）の球体部裏見下平面図である。
【図２ｂ】本考案の手のひら握り運動と指先運動（くるみ運動）の健康器具の下部分裏見上図である。
【図３】本考案の手のひら握り運動と指先運動（くるみ運動）の健康器具の全体右側面図である。
【図３ａ】本考案の手のひら握り運動と指先運動（くるみ運動）の健康器具の球体部右側見下平面図である。
【図３ｂ】本考案の手のひら握り運動と指先運動（くるみ運動）の健康器具の下部分右側見上図である。
【図４】本考案の手のひら握り運動と指先運動（くるみ運動）の健康器具の全体左側面図である。
【図４ａ】本考案の手のひら握り運動と指先運動（くるみ運動）の健康器具の球体部左側見下平面図である。
【図４ｂ】本考案の手のひら握り運動と指先運動（くるみ運動）の健康器具の下部分左側見上図である。
【図５】本考案の手のひら握り運動と指先運動（くるみ運動）の健康器具の指先運動時イラスト図
【符号の説明】
【００１１】  １ａ  木製球体
１ｂ  木製球体
２  自在用スプリング
３  埋め込み用１個＝８００ガウスの磁石
または、遠赤外線放射セラミックスボール
【図１】
0003149645.tif 000003
【図１ａ】
0003149645.tif 000004
【図１ｂ】
0003149645.tif 000005
【図２】
0003149645.tif 000006
【図２ａ】
0003149645.tif 000007
【図２ｂ】
0003149645.tif 000008
【図３】
0003149645.tif 000009
【図３ａ】
0003149645.tif 000010
【図３ｂ】
0003149645.tif 000011
【図４】
0003149645.tif 000012
【図４ａ】
0003149645.tif 000013
【図４ｂ】
0003149645.tif 000014
【図５】
0003149645.tif 000015
【手続補正書】
【提出日】平成21年1月8日(2009.1.8)
【手続補正１】
【補正対象書類名】実用新案登録請求の範囲
【補正対象項目名】全文
【補正方法】変更
【補正の内容】
【実用新案登録請求の範囲】
【請求項１】
２つの球を手のひらで、握り運動と指先運動する器具であって、中間ジョイントの役をするスプリングの両側に前記２つの球を取付けたことを特徴とする健康器具
【請求項２】
磁石または遠赤外線放射セラミックスボールのどちらかを前記の球に埋め込んだことを特徴とする  請求項  １  に記載された健康器具
【請求項３】
前記の磁石または前記の遠赤外線放射セラミックスボールが握った時のすべり止めを兼ねていることを特徴とする  請求項  ２  に記載の健康器具
(57)【要約】      （修正有）【課題】摩擦底板に取付けた支柱にドアー押へ金具を組み込み、ドアー下部を挟み、任意位置停止を安定して可とするドアーの停止金物を提供する。【解決手段】摩擦底板１の一端に支柱３を取り付け、ドアー押へ金具４をスライドバンド２で支柱３にスライドさせ、ドアーと床の隙間を合わせ蝶ねぢ６で固定する、バネ蝶番５の可動羽根を起し挟み込み、ドアーの回転を停止させる。【選択図】図１
0003149641.tif 000002
【実用新案登録請求の範囲】
【請求項１】
本考案のドアーの停止止金具は、摩擦底板に取り付けた支柱にドア押へ金具を組み込み、ドアー下部を挟み、ドアーの回転を停止させる。
【請求項２】
支柱に取り付けたドアー押へ金具は、底板の両側リブの一方を、バネ蝶番とした、請求項１のドアー停止金具である。
【請求項３】
支柱に取り付けたドアー押へ金具は、支柱に添って上下にスライドさせ、床面とドアーの隙間に対応すると事を可能とした。
【考案の詳細な説明】
【考案の詳細な説明】
【技術分野】
【０００１】この考案は摩擦底板に取りつけた支柱に、ドアー押へ金具を組み込み、ドアー回転の停止に関するものである。
【背景技術】
【０００２】（イ）従来の自動ドア開閉器の作動は始点から閉点間を限定し、任意の位置停止は不可能である。
（ロ）床点圧形式のドアー停止具は、点圧面積が不足で停止不作動が発生したりして不適当であった。
【考案の解決しようとする課題】
【０００３】本考案のドアー停止金具は、その欠点を除いて、任意の位置での静止を可能とした。
【課題を解決するための手段】
【０００４】いまその解決手段を図面を追いながら説明すれば。
（イ）摩擦底板（１）に支柱（３）を固定し、ドアー押へ金具（４）と、スライドバンド（２）を組み込む
（ロ）ドアー押へ金具（４）に取り付けたバネ蝶番（５）を開いてドアーの側面からドアー停止金具を滑り込ませ、バネ蝶番（５）の可動羽根を起し、ドアーを押へスライドバンドの蝶捻子（６）を締め、ドアーの停止を計る。
（ハ）ドアー停止解除は、バネ蝶番（５）を倒し、停止金具を引き出す、以上の構成からなるドアー停止金具である。
【考案を実施するための最良の形態】
【０００５】本案は以上のような構成であるから、これを使用するときは、ドアーと床面との隙間の対応は総べて可能とし、ドアー取付部に損傷を加えない。
【考案の効果】
【０００６】したがって取付部の保全と安全管理を可能とした。
【図面の簡単な説明】
【０００７】
【図１】本考案の斜視図である。
【図２】本考案の側面図である。
【符号の説明】
【０００８】１  摩擦底板
２  スライドバンド
３  支柱
４  ドアー押へ金具
５  バネ蝶番
６  蝶ねぢ
【図１】
0003149641.tif 000003
【図２】
0003149641.tif 000004
【手続補正書】
【提出日】平成21年1月10日(2009.1.10)
【手続補正１】
【補正対象書類名】実用新案登録請求の範囲
【補正対象項目名】全文
【補正方法】変更
【補正の内容】
【実用新案登録請求の範囲】
【請求項１】
摩擦底板に取り付けた支柱にドアー押へ金具を組込み、ドアー下部を挟み、ドアーの回転を停止させるドアーの停止金具。
【請求項２】
支柱に取り付けたドアー押へ金具は、摩擦底板の両側リブの一方を、バネ蝶番とした、請求項１記載のドアーの停止金具。
【請求項３】
支柱に取り付けたドアー押へ金具は、支柱に添って上下にスライドさせ、床面とドアーの隙間に対応する、請求項１記載のドアーの停止金具。
【手続補正２】
【補正対象書類名】明細書
【補正対象項目名】全文
【補正方法】変更
【補正の内容】
【考案の詳細な説明】
【技術分野】
【０００１】  この考案は摩擦底板に取りつけた支柱に、ドアー押へ金具を組み込んだドアーの回転停止金具に関するものである。
【背景技術】
【０００２】  （イ）従来の自動ドア開閉器の作動は始点から閉点間を限定し、任意の位置停止は不可能である。
（ロ）床点圧形式のドアー停止具は、点圧面積が不足で停止不作動が発生したりして不適当であった。
【考案の開示】
【考案が解決しようとする課題】
【０００３】  本考案のドアー停止金具は、その欠点を除いて、任意の位置での静止を可能とした。
【課題を解決するための手段】
【０００４】  請求項１に係る考案は、摩擦底板に取り付けた支柱にドアー押へ金具を組込み、ドアー下部を挟み、ドアーの回転を停止させるドアーの停止金具とした。【０００５】  また、請求項２に係る考案は、支柱に取り付けたドアー押へ金具は、摩擦底板の両側リブの一方を、バネ蝶番とした、請求項１記載のドアーの停止金具である。【０００６】  また、請求項３に係る考案は、支柱に取り付けたドアー押へ金具は、支柱に添って上下にスライドさせ、床面とドアーの隙間に対応する、請求項１記載のドアーの停止金具である。【０００７】  いまその解決手段を図面を追いながら説明すれば。【０００８】（イ）摩擦底板（１）に支柱（３）を固定し、ドアー押へ金具（４）と、スライドバンド（２）を組み込む。
（ロ）ドアー押へ金具（４）に取り付けたバネ蝶番（５）を開いてドアーの側面からドアー停止金具を滑り込ませ、バネ蝶番（５）の可動羽根を起し、ドアーを押へスライドバンドの蝶捻子（６）を締め、ドアーの停止を計る。
（ハ）ドアー停止解除は、バネ蝶番（５）を倒し、停止金具を引き出す、以上の構成からなるドアー停止金具（７）である。
【考案の効果】
【０００９】  したがって取付部の保全と安全管理を可能とした。
【考案を実施するための最良の形態】
【００１０】  本案は以上のような構成であるから、これを使用するときは、ドアーと床面との隙間の対応は総べて可能とし、ドアー取付部に損傷を加えない。
【図面の簡単な説明】
【００１１】
【図１】本考案の斜視図である。
【図２】本考案の側面図である。
【符号の説明】
【００１２】１  摩擦底板
２  スライドバンド
３  支柱
４  ドアー押へ金具
５  バネ蝶番
６  蝶捻子
７  ドアー停止金具
【手続補正３】
【補正対象書類名】図面
【補正対象項目名】全図
【補正方法】変更
【補正の内容】
【図１】
0003149641.tif 000005
【図２】
0003149641.tif 000006
(57)【要約】      （修正有）【課題】渋滞中の乗用車内等において尿意を催した場合でも、簡単に排尿することができる持運び用簡易小便器を提供する。【解決手段】内部に尿貯留室を備えた比較的容量の大きいポリエチレン製の尿容器２を形成し、且つ該尿容器２の上面の一方側には持ち手３が突設されると共に、該尿容器２の他方側には、大径の放尿管４が傾斜して突設され、且つ該放尿管４の下流側端部の開口部を前記尿貯留室内に臨むように連結し、更に前記放尿管４の上流側端部に開口された放尿口に蓋体７を取外し自在なるように被冠固定して形成する。【選択図】図１
0003149609.tif 000002
【実用新案登録請求の範囲】
【請求項１】
内部に尿貯留室を備えた比較的容量の大きいポリエチレン製の尿容器を形成し、且つ該尿容器の上面の一方側には持ち手が突設されると共に、該尿容器の他方側には、大径の放尿管が傾斜して突設され、且つ該放尿管の下流側端部の開口部を前記尿貯留室内に臨むように連結し、更に前記放尿管の上流側端部に開口された放尿口に蓋体を取外し自在なるように被冠固定して形成したことを特徴とする持運び用簡易小便器。
【考案の詳細な説明】
【技術分野】
【０００１】
本考案は、渋滞中の乗用車内等において尿意を催した場合でも、簡単に排尿することができる持運び用簡易小便器に関するものである。
【背景技術】
【０００２】
従来、渋滞中の乗用車内等において尿意を催した場合、高分子ポリマーより成る吸水材を内蔵した袋内に排尿し、該吸水材に尿を吸水させて固化せしめるようにして排尿の処理をしていた。
【０００３】
そして、持運び用簡易小便器に関する特許文献を遡及検索したところ、下記の特許文献が公知である。
【先行技術文献】
【特許文献】
【０００４】
【特許文献１】特開２００７−２７５５２２号公報
【考案の概要】
【考案が解決しようとする課題】
【０００５】
前記高分子吸水材を内蔵した袋は、ポリエチレンシートにより形成されているために、折り畳めるが保型性において劣るため、一方の手で袋を保持し、他方の手で衣服や局部を保持しなければならず排尿しにくいという課題があった。
【０００６】
また、特許文献１に記載されたものは、持ち手を備え、任意形状に形成された尿容器の上方側部に尿容器口部を形成し、これに放尿管ガイドをゆるやかに傾斜して底部に達するよう挿入し、この放尿管ガイド内の下部には、コイルバネを伸縮自在に挿設し、また放尿管ガイドの上部には、コイルバネと人力で出入可能に管状の放尿管を挿入し、使用時にはネジ蓋を取り外して放尿管を突出させて用い、使用時以外は、放尿管を放尿管ガイドに収納して、尿容器口部との間にネジ蓋を被冠して形成されているが、特許文献１記載の尿器は、放尿管および放尿管ガイドを備えているため構造が複雑であり、従ってコストが高いという課題があった。
【課題を解決するための手段】
【０００７】
本考案は、内部に尿貯留室を備えた比較的容量の大きいポリエチレン製の尿容器を形成し、且つ該尿容器の上面の一方側には持ち手が突設されると共に、該尿容器の他方側には、大径の放尿管が傾斜して突設され、且つ該放尿管の下流側端部の開口部を前記尿貯留室内に臨むように連結し、更に前記放尿管の上流側端部に開口された放尿口に蓋体を取外し自在なるように被冠固定して形成するという手段を採用することにより、上記課題を解決した。
【考案の効果】
【０００８】
前記構成より成る本考案によれば、構造が簡単でシンプルであるため、コストも安く、且つ使用する場合も、全体の形状が大きいため、使用し易いという優れた効果を奏するものである。
【図面の簡単な説明】
【０００９】
【図１】本考案持運び用簡易小便器の蓋体を取外して示す全体の斜視図である。
【図２】本考案持運び用簡易小便器の縦断面図である。
【図３】本考案持運び用簡易小便器を袋に収納した状態を示す全体の斜視図である。
【考案を実施するための形態】
【００１０】
全体の形状を大きくすると共に、構造を簡単、且つシンプルとすることにより、使用し易い持運び用簡易小便器を形成する。
【実施例】
【００１１】
本考案の実施例を図面に基づいて詳細に説明する。本考案は内部に尿貯留室１を備えた比較的容量の大きい、特に限定する必要はないが、好ましくは２０ｌ程度の容量の立方体状のポリエチレン製の尿容器２を形成する。
【００１２】
また、尿容器２の上面の一方側には持ち手３が突設されると共に、該尿容器２の他方側には、大径の放尿管４が傾斜して突設され、且つ該放尿管４の下流側端部の開口部５が前記尿貯留室１内に臨むように連結され、更に前記放尿管４の上流側端部に開口された放尿口６に蓋体７を取外し自在なるように、被冠固定して形成されている。なお、前記放尿管４の直径は、特に限定する必要はないが、好ましくは、１０ｃｍ程度とすることが推奨される。
【００１３】
前記尿容器２は立方体状に形成することにより、底面部２ａが平面状となっているため、例えば、自動車の車内の床面、あるいは座席上に動揺することなく載置できるので、排尿が簡単にできる。
【００１４】
本考案の作用について説明する。排尿に当っては、蓋体７を取外して、男性の場合、放尿管４内に放尿口６から局部を挿入して排尿する。一方、女性の場合、放尿管４が大径に形成されていて、放尿口６も大径であるため、該放尿口６に局部を押し当てて排尿する。
【００１５】
前記排尿すると、尿は尿貯留室１内に溜まり、放尿口６に蓋体７を被冠固定して密封し、尿の臭いの発散を阻止する。前記尿容器２は比較的容量が大きいため、数回排尿できる。
【００１６】
なお、尿容器２は尿貯留室１が透けて見えないように、色付きにするか、あるいは装飾用シートを該尿容器２の外周面に貼付してもよい(図示せず)。更に、前尿容器２は持ち手３を持って持運びができるが、体裁上、手提げ袋等の収納袋８に収納して持運ぶこともできる(図３)。
【００１７】
そして、排尿後は蓋体７を取付けて、尿容器２を適宜持運んで、トイレ等に尿貯留室１に溜った尿を廃棄し、前記尿容器２全体を洗浄して次回の使用に備える。
【符号の説明】
【００１８】
１  尿貯留室
２  尿容器
２ａ  底面部
３  持ち手
４  放尿管
５  開口部
６  放尿口
７  蓋体
８  収納袋
【図１】
0003149609.tif 000003
【図２】
0003149609.tif 000004
【図３】
0003149609.tif 000005
(57)【要約】      （修正有）【課題】桧の間伐材を有効利用し、浴室で森林浴気分を味わえる浴用具を提供する。【解決手段】桧の間伐材を利用し、角材とサイコロ状に加工し、ネットを添えて包装箱に収納するのを特徴とする会葬御礼用の浴用具である。桧を利用することで、リフレッシュ効果のほか、消臭、抗菌および防虫の効果を得ることができる。【選択図】図１
0003149660.tif 000002
【実用新案登録請求の範囲】
【請求項１】
桧の間伐材を、角材とサイコロ状に加工し、包装箱にネットと共に収納するのを特徴とする会葬御礼用の浴用具。
【考案の詳細な説明】
【技術分野】
【０００１】  本考案は、桧の間伐材を加工した、会葬御礼品に関するもの。
【背景技術】
【０００２】  従来、入浴時には心身ともにくつろぎ、さらに気分転換を計るため香りなどで桧風呂の気分を楽しむ入浴用具（例えば特許文献１参照）などがある。【０００３】
【特許文献１】特許公開２００３−１２６２０７
【考案の開示】
【考案が解決しようとする課題】
【０００４】  本考案は、現在、ＣＯ２削減を推し進めるため森林整備が行われているが、その際に、放置されている多量の間伐材を有効活用するものである。
【課題を解決するための手段】
【０００５】  桧の間伐材を、角材とサイコロ状に加工し、包装箱にネットと共に収納するのを特徴とする会葬御礼用の浴用具である。
【考案の効果】
【０００６】  桧には、フィトンチッドという成分を含み、森林を歩くと森林の香りに、穏やかな気分になる成分である。このフィトンチッドには、主にリフレッシュ効果のほか、消臭、脱臭および、抗菌、防虫の三大効果が知られている。
【考案を実施するための最良の形態】
【０００７】  桧の間伐材を、角材１とサイコロ状２に加工し、包装箱３の中央部に角材１を置き、両脇にサイコロ状の木片２を並べる。サイコロ状２の木片を風呂に浮かべて使うネット４を包装箱の縁の空間に収納した会葬御礼用の商品である。
【実施例】
【０００８】  角材は、
◎室内に飾って桧の温もりと香りで癒し効果。
サイコロ状の木片は、ネットに入れて、
◎風呂に浮かして桧風呂気分。
◎手洗いなどの防臭効果。
◎洋服ダンスに吊り下げ抗菌、防虫効果。
一個ずつ
◎整理ダンスに入れて抗菌、防虫効果。
◎冷蔵庫に入れて食品への防菌、殺菌。
◎ベッドの枕もとに置いて、快適な睡眠効果。
◎子供の積木遊び【０００９】  本考案は、現在の会葬御礼品が、お茶やハンカチなどあまり魅力のないものになっており、高級感のあるうえ、色々な使用方法もある桧の浴用具は、皆に喜ばれる商品になると期待される。
【図面の簡単な説明】
【００１０】
【図１】本考案の包装箱の中の浴用具
【図２】本考案の包装箱と外に並べた浴用具。
【符号の説明】
【００１１】  １  角材
２  サイコロ状木片
３  包装箱
４  ネット
【図１】
0003149660.tif 000003
【図２】
0003149660.tif 000004
(57)【要約】      （修正有）【課題】従来の金箔入り鯉のぼりが放つ金色光輝度に比し、一段と光輝効果が向上し、看る者に豪華仕上げの印象を与え、且つ商品価値を高めるようにした鯉のぼりを提供する。【解決手段】ナイロン布地および／または、ポリエステル布地等によって縫製され、頭部から尾鰭にかけての上部と、鱗，腹下部，目玉等を捺染で施色された鯉のぼりに、ホログラム箔（感光媒体）を熱転写し、付着せしめたことを特徴とする鯉のぼり。【選択図】図１
0003149023.tif 000002
【実用新案登録請求の範囲】
【請求項１】
ナイロン布地および／または、ポリエステル布地等によって縫製され、頭部から尾鰭にかけての上部と、鱗，腹下部，目玉等を捺染で施色された鯉のぼりに、ホログラム箔（感光媒体）２を熱転写・付着せしめたことを特徴とする鯉のぼり。
【考案の詳細な説明】
【考案の詳細な説明】
【技術分野】
【０００１】  本考案は、端午の節句時などに、屋内外に飾り立てる鯉のぼりに関するものである。
【背景技術】
【０００２】  従来、ナイロン布地および／または、ポリエステル布地等によって縫製される鯉のぼりは、その頭部より背中部分，或いは鱗部分等に金箔が張られ、この金箔が光を受けて鯉のぼりに金色光輝効果を齎している。
【考案の開示】
【考案が解決しようとする課題】
【０００３】  本考案は、上述のような金箔入り鯉のぼりの改良に係り、詳しくは、従来の金箔入り鯉のぼりが放つ金色光輝度に比し、一段と光輝効果が向上し、看る者に豪華仕上げの印象を与え、且つ商品価値を高めるようにした鯉のぼりを提供するものである。
【課題を解決するための手段】
【０００４】  本考案は、ナイロン布地および／または、ポリエステル布地等によって縫製され、頭部から尾鰭にかけての上部と、鱗，腹下部，目玉等を捺染で施色された鯉のぼりに、ホログラム箔（感光媒体）を熱転写・付着せしめた鯉のぼりを特徴としている。
【考案の効果】
【０００５】  本考案は、鯉のぼりの布地に鯉のぼりの目玉，鱗等を捺染で、赤，青，黒等に施色してからこの上にホログラム箔（感光媒体）を熱転写・付着させることを特徴とするから、本考案の鯉のぼりは、今までのものにない光輝効果を発揮する。【０００６】  即ち、ホログラム箔自体は、シートに多色（例えば七色）の色彩物質を色別に連読配列した感光媒体であり、該ホログラム箔に光があたると、多色（例えば七色）の反射光を生じさせる性質を有している。【０００７】  従って、本考案にあっては、鯉のぼりに上述したホログラム箔を熱転写・付着せしめたから、該ホログラム箔が光を受けるとその反射光は多色光となって光り輝き、その光輝効果は従来の金箔使用では得られない特有の光輝効果であり、それ故に、鯉のぼりの風合いを一層豪華なものに形成できるという著効がある。
【考案を実施するための最良の形態】
【０００８】  本考案の実施例を、図１に基づいて説明する。【０００９】  図示の実施例は、ホログラム箔（感光媒体）を施した状態を例示する本考案鯉のぼりの正面図である。【００１０】  図中符号１は、ナイロン布地および／または、ポリエステル布地等により縫製され、頭部から尾鰭にかけての上部と、鱗，腹下部，目玉等を赤，青，黒等に捺染で施色された鯉のぼりを示し、該鯉のぼり１にホログラム箔（感光媒体）２を熱転写・付着せしめるものである。【００１１】  上記ホログラム箔（感光媒体）２の特質及びホログラム箔（感光媒体）２の採用によって得られる本考案の効果等は、［０００６］［０００７］の項に記載するとおりである。
【図面の簡単な説明】
【００１２】
【図１】  図１は、ホログラム箔（感光媒体）を施した状態を示す本考案鯉のぼりの正面図である。
【符号の説明】
１  鯉のぼり
２  ホログラム箔（感光媒体）
【図１】
0003149023.tif 000003
【手続補正書】
【提出日】平成20年12月5日(2008.12.5)
【手続補正１】
【補正対象書類名】実用新案登録請求の範囲
【補正対象項目名】全文
【補正方法】変更
【補正の内容】
【実用新案登録請求の範囲】
【請求項１】
ナイロン布地および／または、ポリエステル布地等によって縫製され、頭部から尾鰭にかけての上部と、鱗，腹下部，目玉等を捺染で施色された鯉のぼりに、ホログラム箔    を熱転写・付着せしめたことを特徴とする鯉のぼり。